(57)【特許請求の範囲】
【請求項１】
映像を表示する表示部と、
前記表示部と重なるように配置されたバリア部を含み、
前記バリア部が、
液晶層と、
前記液晶層を間において互いに対向配置された第１基板および第２基板と、
前記液晶層に対向する前記第１基板の一面に形成された共通電極と、
前記液晶層に対向する前記第２基板の一面に前記第２基板の一方向に沿って互いに距離をおいて形成された複数の第１電極と、
透明絶縁層を間において前記複数の第１電極と異なる層に位置し、前記複数の第１電極の間の部位に対応して形成された複数の第２電極を含み、
前記第２電極が前記第１電極より前記液晶層近くに位置され、前記第２電極の側面から  前記バリア部の厚さ方向に沿って前記第１電極と重なって位置する複数の黒色層を含み、
前記黒色層は、前記第２電極の両側面にそれぞれ位置することを特徴とする電子映像機器。
【請求項２】
前記第２基板の一方向が前記表示部の水平方向であり、前記第１電極と前記第２電極が  前記表示部の垂直方向に沿って帯状に形成されていることを特徴とする請求項１に記載の電子映像機器。
【請求項３】
前記第１電極の左右の終端と前記第２電極の左右の終端が前記バリア部の厚さ方向に沿って同一線上に位置することを特徴とする請求項２に記載の電子映像機器。
【請求項４】
前記第１電極の幅が前記第２電極の幅より大きく、前記第２電極の幅をＢ２、前記黒色層の幅をＢｍとすると、前記第１電極の幅が（Ｂ２＋２Ｂｍ）に等しいことを特徴とする請求項１に記載の電子映像機器。
【請求項５】
前記（Ｂ２＋２Ｂｍ）が前記複数の黒色層の間の間隔より大きいことを特徴とする請求項４に記載の電子映像機器。
【請求項６】
前記第１基板の外面に位置する第１偏光板と、前記第２基板の外面に位置する第２偏光板を含み、
前記第１偏光板の偏光軸と前記第２偏光板の偏光軸が互いに直交することを特徴とする請求項１乃至５のいずれか一項に記載の電子映像機器。
【請求項７】
前記表示部が２次元映像を表示し、前記共通電極と前記第１電極および前記第２電極が電圧無印加状態を維持することを特徴とする請求項６に記載の電子映像機器。
【請求項８】
前記表示部が１フレームを第１期間と第２期間に分けて、前記第１期間で前記一方向に沿って左眼−右眼の順に合成された映像を表示し、前記第２期間で前記一方向に沿って右眼−左眼の順に合成された映像を表示し、
前記第１期間で前記共通電極に共通電圧が印加され、前記第１電極に液晶駆動電圧が印加され、
前記第２期間で前記共通電極に共通電圧が印加され、前記第２電極に液晶駆動電圧が印加されることを特徴とする請求項６に記載の電子映像機器。
【請求項９】
前記第１基板の外面に位置する第１偏光板と、前記第２基板の外面に位置する第２偏光板を含み、
前記第１偏光板の偏光軸と前記第２偏光板の偏光軸が平行に位置することを特徴とする請求項１乃至５のいずれか一項に記載の電子映像機器。
【請求項１０】
前記表示部が２次元映像を表示し、
前記共通電極に共通電圧が印加され、前記第１電極と前記第２電極に液晶駆動電圧が印加されることを特徴とする請求項９に記載の電子映像機器。
【請求項１１】
前記表示部が１フレームを第１期間と第２期間に分けて、
前記第１期間で前記一方向に沿って左眼−右眼の順に合成された映像を表示し、前記第２期間で前記一方向に沿って右眼−左眼の順に合成された映像を表示し、
前記第１期間で前記共通電極に共通電圧が印加され、前記第２電極に液晶駆動電圧が印加され、
前記第２期間で前記共通電極に共通電圧が印加され、前記第１電極に液晶駆動電圧が印加されることを特徴とする請求項９に記載の電子映像機器。
【発明の詳細な説明】
【技術分野】
【０００１】
本発明は電子映像機器に関し、より詳しくは立体映像を表示できる電子映像機器に関する。
【背景技術】
【０００２】
立体映像を表示する電子映像機器は、観察者の左眼と右眼に夫々異なる映像を提供して、観察者が、見る映像に立体感を感じるようにする装置である。このような電子映像機器のうちで、両眼視差（ｂｉｎｏｃｕｌａｒ  ｐａｒａｌｌａｘ）を利用して、観察者が偏光眼鏡のような装備を着用せずに立体映像を視聴できるオートステレオスコピイ（ａｕｔｏｓｔｅｒｅｏｓｃｏｐｙ）装置が公知になっている。
【０００３】
通常のオートステレオスコピイ装置は、画素を左眼用と右眼用に分けて左眼映像と右眼映像を共に表示する表示部と、表示部の前方に位置され、表示部に表示される左眼映像と右眼映像を各々観察者の左眼方向と右眼方向に分離させるバリア部を含む。バリア部は、透明電極と液晶層を備え、光学的に光遮断部と光透過部を形成してもよい。
【０００４】
表示部において画面の水平方向に沿って位置する画素を奇数番目画素と偶数番目画素で分けると、公知の時分割方式における表示部は１フレームを２つの期間に分けて、第１期間で奇数番目画素および偶数番目画素で各々左眼映像と右眼映像を表示し、第２期間で奇数番目画素および偶数番目画素で各々右眼映像と左眼映像を表示する。そして、バリア部は、表示部の駆動に同期されて駆動し、第１期間と第２期間で光遮断部と光透過部の位置を変更させる。
【０００５】
光遮断部と光透過部の位置を変更するために、公知のバリア部は、液晶層を間において対向する一対の基板のうち、いずれか一つの基板の内面に共通電極を形成し、他の基板の内面に第１電極と第２電極を画面の水平方向に沿って一つずつ交互に繰り返して配置する。共通電極に共通電圧を印加した状態で、第１期間中に第１電極に液晶駆動電圧を印加すると、バリア部の中で第１電極が位置する領域が光遮断部となって、第２期間中に第２電極に液晶駆動電圧を印加するとバリア部の中で第２電極が位置する領域が光遮断部となる。
【０００６】
このような分割駆動方式では、観察者が表示部の画素全体、つまり、奇数番目画素と偶数番目画素を全て見られるため、２次元映像と同じ解像度の立体映像を見ることができる。
【０００７】
しかし、バリア部において第１電極と第２電極は短絡防止のために所定の間隔をおいて位置するため、バリア部動作中に表示部で放出された光が第１電極と第２電極の間の間隔を通して漏出する。従って、従来の電子映像機器はクロストークが増加して、立体映像の画質が低下し、画面のコントラストが低下する問題が生じる。
【発明の開示】
【発明が解決しようとする課題】
【０００８】
本発明の目的は、バリア部から光が漏出しないようにして、立体映像の画質と画面のコントラストを高めることができる電子映像機器を提供することである。
【課題を解決するための手段】
【０００９】
本発明の第１実施形態による電子映像機器は、映像を表示する表示部と、表示部と重なって配置されるバリア部を含む。バリア部は、液晶層を間において互いに対向配置される第１基板および第２基板と、液晶層に対向する第１基板の一面に形成される共通電極と、液晶層に対向する第２基板の一面に第２基板の一方向に沿って互いに距離をおいて形成される複数の第１電極と、透明絶縁層を間において第１電極と異なる層に位置して第１電極の間の部位に対応形成される複数の第２電極を含む。
【００１０】
第２電極は第１電極より液晶層近くに位置できる。第２電極の側面にはバリア部の厚さ方向に沿って第１電極と重なる複数の黒色層が位置できる。
【００１１】
第２基板の一方向は表示部の水平方向であり、第１電極と第２電極は表示部の垂直方向に沿って帯状に形成できる。
【００１２】
第１電極の左右の終端と第２電極の左右の終端がバリア部の厚さ方向に沿って同一線上に位置できる。
【００１３】
第１電極の幅は第２電極の幅より大きくできて、第２電極の幅をＢ２、黒色層の幅をＢｍとすると、第１電極の幅は（Ｂ２＋２Ｂｍ）と同一である。（Ｂ２＋２Ｂｍ）は複数の黒色層の間の間隔より大きいこともありうる。
【００１４】
電子映像機器は、第１基板の外面に位置する第１偏光板と、第２基板の外面に位置する第２偏光板を含み、第１偏光板の偏光軸と第２偏光板の偏光軸は互いに直交することもありうる。表示部が２次元映像を表示する時、共通電極と第１電極および第２電極は電圧無印加状態を維持できる。
【００１５】
表示部は１フレームを第１期間と第２期間に分けて、第１期間で第２基板の一方向に沿って左眼−右眼の順に合成された映像を表示し、第２期間で第２基板の一方向に沿って右眼−左眼の順に合成された映像を表示する。第１期間で共通電極に共通電圧が印加され、第１電極に液晶駆動電圧が印加される。第２期間で共通電極に共通電圧が印され、第２電極に液晶駆動電圧が印加される。
【００１６】
一方、第１偏光板の偏光軸と第２偏光板の偏光軸は平行にも位置できる。表示部が２次元映像を表示する時、共通電極に共通電圧が印加され、第１電極と第２電極とには液晶駆動電圧が印加される。
【００１７】
表示部が１フレームを第１期間と第２期間に分けて表示する時、第１期間で共通電極に共通電圧が印加され、第２電極に液晶駆動電圧が印加される。第２期間で共通電極に共通電圧が印加され、第１電極に液晶駆動電圧が印加される。
【発明の効果】
【００１８】
本発明による電子映像機器により、立体映像を表示する時、バリア部で光が漏出することを防止できる。従って、クロストークを抑制して、立体映像の画質を高め、画面のコントラストを向上できる。
【発明を実施するための最良の形態】
【００１９】
以下、添付図を参照して、本発明の実施形態について本発明が属する技術分野における通常の知識を有する者が容易に実施できるように詳しく説明する。本発明は多様な相異な形態に具現化され、ここで説明する実施形態に限られない。
【００２０】
図１は本発明の第１実施形態による電子映像機器の部分断面図である。
【００２１】
図１を参照すると、本実施形態の電子映像機器１００は映像を表示する表示部１２と、表示部１２の前方に位置するバリア部１４を含む。表示部１２は複数の画素を備え、各々の画素は赤色と緑色および青色の複数の副画素で構成される。
【００２２】
表示部１２は、すべての画素に２次元映像信号が印加されて、２次元映像を表示する。一方、表示部１２は、画素別または副画素別に左眼映像信号と右眼映像信号が別に印加されて、左眼映像と右眼映像を分けて表示する。このような映像信号制御は、図示されない映像信号制御部によって実行される。
【００２３】
表示部１２は、液晶表示装置、有機発光表示装置、プラズマディスプレイパネル、陰極線管および電界放出表示装置など公知のすべての表示装置が適用できる。
【００２４】
バリア部１４は液晶層３２と透明電極（以下で説明する共通電極２４、第１電極２８及び第２電極３０）を備えて、光学的に光遮断部と光透過部を形成する。図２と図３は、各々図１に示したバリア部のうち、第１電極と第２電極を示した平面図である。
【００２５】
図１乃至図３を参照すると、バリア部１４は所定の距離をおいて対向配置される第１基板１６および第２基板１８と、第１基板１６と第２基板１８の外面に各々位置される第１偏光板２０および第２偏光板２２と、第１基板１６の内面に形成される共通電極２４と、第２基板１８の内面で透明絶縁層２６を間において互いに異なる層に位置される第１電極２８および第２電極３０と、第１基板１６と第２基板１８の間に位置される液晶層３２を含む。
【００２６】
第１基板１６と第２基板１８は、透明なガラス基板または透明な合成樹脂フイルムで形成できる。第１偏光板２０と第２偏光板２２は直線偏光板であり、偏光軸が互いに直交するように配置される。図４で第１偏光板２０の偏光軸を矢印Ａ１に、第２偏光板２２の偏光軸を矢印Ａ２で示した。
【００２７】
共通電極２４は第１基板１６の有効領域全体に形成され、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）のような透明な導電物質で形成される。第１電極２８と第２電極３０は、画面の垂直方向（図面のｙ軸方向）に沿って長辺を有する帯状で構成され、共通電極２４のような透明な導電物質で形成される。
【００２８】
第１電極２８は第２基板１８の内面で画面の水平方向（図面のｘ軸方向）に沿って互いに距離をおいて位置され、透明絶縁層２６が第１電極２８を覆うように、第２基板１８の内面全体に形成される。透明絶縁層２６の上に第２電極３０が第１電極２８の間の部位に対応して位置され、各第２電極３０の左右の側面に所定幅の黒色層３４が形成される。黒色層３４はバリア部１４の厚さ方向（図面のＺ軸方向）に沿って第１電極２８と重なる。
【００２９】
第１電極２８の一端、例えば第１電極２８の上側終端部に画面の水平方向（図面のｘ軸方向）に沿って第１連結部３６が位置して、第１電極２８を電気的に接続させる。そして、第２電極３０の一端、例えば第２電極３０の下側端部に第１連結部３６と並んで第２連結部３８が位置して、第２電極３０を電気的に接続させる。
【００３０】
液晶層３２に対向する共通電極２４の一面には第１配向膜４０が形成され、第２電極３０と複数の黒色層３４を覆うように透明絶縁層２６の上全体に第２配向膜４２が形成される。第１配向膜４０と第２配向膜４２は、液晶層３２を構成する液晶物質を特定状態で配列させる役割を果たす。液晶層３２はＴＮ（ｔｗｉｓｔｅｄ  ｎｅｍａｔｉｃ）型液晶で構成できる。ＴＮ型液晶は電圧無印加状態で９０°のツイスト角を有する。
【００３１】
前述した構造のバリア部１４は、共通電極２４、第１電極２８および第２電極３０に印加される電圧を調節して、位置別の光透過を制御できる。以下、電子映像機器１００が２次元映像と立体映像を表示する過程を具体的に説明する。
【００３２】
電子映像機器１００が２次元映像を表示するためには、表示部１２に具備されたすべての画素に２次元映像信号を印加して、表示部１２で２次元映像を表示する。そして、バリア部１４に備えられた共通電極２４、第１電極２８および第２電極３０に電圧を印加しないためバリア部１４が全体透過型となる。
【００３３】
本実施形態では、液晶層３２がＴＮ型液晶で構成され、第１偏光板２０の偏光軸と第２偏光板２２の偏光軸が互いに直交することによって、第２偏光板２２によってＡ２方向（図４参照）で直線偏光された光は液晶層３２を通過しながら、偏光軸が９０°ねじられて、第１偏光板２０を透過するようになる。これによって、バリア部１４は電圧無印加状態で全体透過型になるため、これをノーマリーホワイトモード（ｎｏｒｍａｌｌｙ  ｗｈｉｔｅ  ｍｏｄｅ）という。
【００３４】
ノーマリーホワイトモードで構成されたバリア部１４は、電子映像機器１００が２次元映像と立体映像のうち、２次元映像を主に表示するならば、消費電力を低くする効果がある。この時、バリア部１４に具備された黒色層３４が表示部１２から放出された光を常に遮断するが、黒色層３４の幅は数マイクロメートル（μｍ）程度で黒色層３４による輝度低下は僅かなレベルである。
【００３５】
次に、電子映像機器１００が立体映像を表示するためには、表示部１２に画素別または副画素別に左眼映像信号と右眼映像信号を別々に印加して、表示部１２で左眼映像と右眼映像を分けて表示する。そして、バリア部１４の第１電極２８と第２電極３０のうち、どちらか一方の電極に液晶駆動電圧を印加して、光学的に光遮断部と光透過部を形成する。特に本実施形態の電子映像機器１００は時分割方式で立体映像を実現する。
【００３６】
図５は電子映像機器の時分割駆動方式を示した概略図である。図５の（ａ）は、一つのフレームを第１期間（Ｔ１）と第２期間（Ｔ２）の２つの期間に分けて時分割駆動した時、第１期間（Ｔ１）で画面の水平方向に沿って左眼−右眼−左眼−右眼の順に合成された映像が表示されるのを示した図面である。そして、図５の（ｂ）は、第２期間（Ｔ２）で画面の水平方向に沿って右眼−左眼−右眼−左眼の順に合成された映像が表示されるのを示した図面である。
【００３７】
図５の（ａ）を参照すると、第１期間（Ｔ１）で表示部１２の奇数番目画素（ＯＰ）（または副画素）は左眼用画素（または副画素）となって、偶数番目画素（ＥＰ）（または副画素）は右眼用画素（または副画素）となる。そして、バリア部１４は画面の水平方向に沿って光遮断部４４と光透過部４６を一つずつ交互に繰り返して形成する。そして左眼映像と右眼映像が各々観察者の左眼方向と右眼方向に投射される経路が形成される。
【００３８】
図５の（ｂ）を参照すると、第２期間（Ｔ２）で表示部１２の奇数番目画素（ＯＰ）（または副画素）は右眼用画素（または副画素）となり、偶数番目画素（ＥＰ）（または副画素）は左眼用画素（または副画素）となる。そして、バリア部１４は画面の水平方向に沿って光透過部４６と光遮断部４４を一つずつ交互に繰り返して形成する。そして、右眼映像と左眼映像が各々観察者の右眼方向と左眼方向に投射される経路が形成される。
【００３９】
このようにバリア部１４によって分離された左眼映像と右眼映像は、互いに所定の視差（ｄｉｓｐａｒｉｔｙ）を有し、電子映像機器１００を見る観察者は実際に立体対象物を見るような情報を得るようになって、立体感を感じるようになる。また、１フレームを第１期間（Ｔ１）と第２期間（Ｔ２）に分けて表示することによって、観察者は表示部１２の画素全体を見るようになって、２次元映像のような解像度の立体映像を見ることができる。
【００４０】
第１期間（Ｔ１）でバリア部１４が光学的に光遮断部４４と光透過部４６を形成する原理を図６と図７に示した。
【００４１】
図６と図７を参照すると、共通電極２４に共通電圧（Ｖｃｏｍ、例えば０Ｖ）を印加し、共通電極２４に対して液晶が動作する電圧差程度の電圧、つまり、液晶駆動電圧（Ｖ１）を第１連結部３６に印加する。そうすると、共通電極２４と第１電極２８の電圧差によって、第１電極２８が位置する領域で液晶がバリア部１４の厚さ方向（図７のＺ軸方向）に沿って垂直に整列する。
【００４２】
従って、第１電極２８が位置する領域で、第２偏光板２２によってＡ２方向（図４参照）に回転偏光した光は液晶層３２を通過しながら、偏光軸がそのまま維持されて第１偏光板２０を透過することなく遮断される。その結果、バリア部１４の中で第１電極２８の位置する領域が光学的に光遮断部４４となって、残りの領域が光透過部４６となる。この時、第２電極３０には共通電圧（Ｖｃｏｍ）を印加するかフローティングさせる。
【００４３】
この過程で第１電極２８と第２電極３０が画面の水平方向（図面のｘ軸方向）に沿って隣接し、黒色層３４が第１電極２８の両端部と重なり（図７参照）、この部分に入射する光を吸収するので、バリア部１４から光が漏出しない。
【００４４】
一方、第１電極２８は、共通電極２４との電圧差によって液晶のツイスト角を変化させて光透過を制御するべきであるが、共通電極２４と第１電極２８の間に位置する第２電極３０が共通電極２４のような電位を維持するため、第１電極２８と第２電極３０の間にも液晶駆動電圧（Ｖ１）程度の電圧差が発生する。従って、液晶層３２の中で第１電極２８の両端部に対応する領域で電場が歪んで、液晶の配列状態が変化することもありうる。
【００４５】
その結果、黒色層３４がない場合には、電場が歪んだ領域で光が漏出したり黒色ではなく灰色に表示され得る。しかし、黒色層３４が電場の歪んだ領域に入射する光自体を遮断するため、液晶の配列状態変化によって光が漏れる現象または灰色に表示されることを防止できる。
【００４６】
次に、第２期間（Ｔ２、図５参照）でバリア部１４が光学的に光遮断部４４と光透過部４６を形成する原理を図８と図９に示した。
【００４７】
図８と図９を参照すると、共通電極２４に共通電圧（Ｖｃｏｍ）を印加し、第２連結部３８に液晶駆動電圧（Ｖ１）を印加する。そして、共通電極２４と第２電極３０の電圧差によって、第２電極３０が位置する領域で液晶がバリア部１４の厚さ方向（図９のＺ軸方向）に沿って垂直に整列する。
【００４８】
従って、第２電極３０が位置する領域で、第２偏光板２２によってＡ２方向（図４参照）で回転偏光された光は液晶層３２を通過しながら、偏光軸がそのまま維持されて第１偏光板２０を透過できずに遮断される。そして、黒色層３４が位置する領域も、液晶の配列状態に関係せずに光を吸収するため光を遮断する。
【００４９】
その結果、バリア部１４の中で第２電極３０と黒色層３４が位置する領域が光学的に光遮断部４４となり、残りの領域が光透過部４６となる。この時、第１電極２８には共通電圧（Ｖｃｏｍ）を印加するかフローティングさせる。第２期間（Ｔ２）でも前述した第１電極２８と第２電極３０の配列状態、および黒色層３４によってバリア部１４から光が漏出しない。
【００５０】
このように本実施形態の電子映像機器１００は、立体映像を表示する時、バリア部１４から光が漏出しないため、クロストークを抑制して、立体映像の画質を高め、画面のコントラストを向上できる。また、本実施形態の電子映像機器１００は黒色層３４によって従来よりも低い５０％以下の開口率を示し、これは立体映像の画質改善につながる。
【００５１】
図１０は図１に示した電子映像機器内部のバリア部の部分拡大図である。
【００５２】
図１０において、Ｂ１は第１電極２８の幅、Ｂ２は第２電極３０の幅、Ｂｍは黒色層３４の幅を夫々示す。Ｓ１は第１電極２８の間の間隔、Ｓ２は複数の黒色層３４の間の間隔を夫々示す。Ｓ１とＳ２部分は、バリア部１４駆動時に光透過部４６として機能するため、Ｓ１とＳ２を光透過部４６の幅として定義できる。
【００５３】
Ｂ＝（Ｂ２＋２Ｂｍ）であり、また、Ｂ１はＢに等しい。Ｂ１部分とＢ部分がバリア部１４駆動時に光遮断部として機能するため、Ｂ１とＢは光遮断部の幅として定義できる。そして、光遮断部の幅（Ｂ１またはＢ）と光透過部の幅（Ｓ１またはＳ２）を加えたものが全体ピッチ（Ｐ）となる。本実施形態で光遮断部の幅（Ｂ１またはＢ）は光透過部の幅（Ｓ１またはＳ２）より大きく形成されるため、（Ｓ１／Ｐ）または（Ｓ２／Ｐ）として計算されるバリア部１４の開口率は５０％以下である。
【００５４】
図１１は本発明の第２実施形態による電子映像機器内部の第１偏光板と第２偏光板を示した概略図である。
【００５５】
図１１を参照すると、本実施形態の電子映像機器は、第１偏光板２０１の偏光軸と第２偏光板２２１の偏光軸が平行に位置する構成を除いて、前述した第１実施形態の電子映像機器と同様の構成である。図１１で第１偏光板２０１の偏光軸を矢印Ａ３に、第２偏光板２２１の偏光軸を矢印Ａ４に示した。
【００５６】
本実施形態で第２偏光板２２１によってＡ４方向で直線偏光された光は液晶層を通過し、偏光軸が９０°ねじられて、第１偏光板２０１を透過できずに遮断される。従って、バリア部は電圧無印加状態で全体遮断型となり、これをノーマリーブラックモード（ｎｏｒｍａｌｌｙ  ｂｌａｃｋ  ｍｏｄｅ）という。
【００５７】
表示部が２次元映像を表示する時、バリア部は共通電極に共通電圧を印加し、第１電極と第２電極に液晶駆動電圧を印加して、全体透過型になる。ノーマリーブラックモードで構成されたバリア部は、電子映像機器が２次元映像と立体映像のうち立体映像を主に表示する時、消費電力を低くする効果がある。
【００５８】
電子映像機器が立体映像を表示する時、第１期間（Ｔ１、図５参照）でバリア部が光学的に光遮断部と光透過部を形成する原理を図１２と図１３に示した。前述した第１実施形態と同様の構成については同じ参照符号を用いる。
【００５９】
図１２と図１３を参照すると、共通電極２４に共通電圧（Ｖｃｏｍ）を印加し、第２連結部３８に液晶駆動電圧（Ｖ１）を印加する。そして、共通電極２４と第２電極３０の電圧差によって、第２電極３０が位置する領域で液晶がバリア部１４１の厚さ方向（図１３のＺ軸方向）に沿って垂直に整列される。
【００６０】
従って、第２電極３０が位置する領域で、第２偏光板２２１によってＡ４方向（図１１参照）で直線偏光された光は液晶層３２を通過し、偏光軸がそのまま維持されて第１偏光板２０１を透過する。その結果、バリア部１４１の中で第２電極３０が位置する領域が光学的に光透過部４６となって、残り領域が光遮断部４４となる。この時、第１電極２８には共通電圧（Ｖｃｏｍ）を印加するかフローティングさせる。
【００６１】
次に、第２期間（Ｔ２、図５参照）でバリア部が光学的に光遮断部と光透過部を形成する原理を図１４と図１５に示した。
【００６２】
図１４と図１５を参照すると、共通電極２４に共通電圧（Ｖｃｏｍ）を印加し、第１連結部３６に液晶駆動電圧（Ｖ１）を印加する。そして、共通電極２４と第１電極２８の電圧差によって、第１電極２８が位置する領域で液晶がバリア部１４１の厚さ方向（図１５のＺ軸方向）に沿って垂直に整列する。
【００６３】
従って、第１電極２８が位置する領域で、第２偏光板２２１によってＡ４方向（図１１参照）で回転偏光された光は液晶層３２を通過しながら、偏光軸がそのまま維持されて第１偏光板２０１を透過する。しかし、黒色層３４が位置する領域では液晶の配列状態に関係せずに黒色層３４が光を吸収するので光を遮断する。
【００６４】
その結果、バリア部１４１の中で黒色層３４と重ならない第１電極２８の中で領域が光学的に光透過部４６となって、残りの領域が光遮断部４４となる。この時、第２電極３０には共通電圧（Ｖｃｏｍ）を印加するか、又はフローティングさせる。
【００６５】
本実施形態の電子映像機器においても前述した第１電極２８と第２電極３０の配列、および黒色層３４によってバリア部１４１から光が漏出しない。その結果、クロストークを抑制して、立体映像の画質を高め、画面のコントラストを向上できる。
【００６６】
前記では本発明の望ましい実施形態について説明したが、本発明はこれに限定されるのではなく、特許請求の範囲と発明の詳細な説明および添付図面の範囲内で多様に変形して、実施することが可能であり、これも本発明の範囲に属するものである。
【図面の簡単な説明】
【００６７】
【図１】本発明の第１実施形態による電子映像機器の部分断面図である。
【図２】図１に示したバリア部のうち、第１電極を示した平面図である。
【図３】図１に示したバリア部のうち、第２電極を示した平面図である。
【図４】図１に示した電子映像機器内部の第１偏光板と第２偏光板を示した斜視図である。
【図５】図１に示した電子映像機器の時分割駆動方式を示した概略図である。
【図６】図５に示した第１期間の間の第１電極と第２電極を示した平面図である。
【図７】図５に示した第１期間の間のバリア部を示した部分断面図である。
【図８】図５に示した第２期間の間の第１電極と第２電極を示した平面図である。
【図９】図５に示した第２期間の間のバリア部を示した部分断面図である。
【図１０】図１に示したバリア部の部分拡大図である。
【図１１】本発明の第２実施形態による電子映像機器内部の第１偏光板と第２偏光板を示した斜視図である。
【図１２】本発明の第２実施形態による電子映像機器での第１期間の間の第１電極と第２電極を示した平面図である。
【図１３】本発明の第２実施形態による電子映像機器での第１期間の間のバリア部を示した部分断面図である。
【図１４】本発明の第２実施形態による電子映像機器での第２期間の間の第１電極と第２電極を示した平面図である。
【図１５】本発明の第２実施形態による電子映像機器での第２期間の間のバリア部を示した部分断面図である。
【符号の説明】
【００６８】
１００  電子映像機器
１２  表示部
１４  バリア部
１６、１８  基板
２０、２２  偏光板
２４  共通電極
２６  透明絶縁層
２８、３０  電極
３２  液晶層
３４  黒色層
３６、３８  連結部
４０、４２  配向膜
４４  光遮断部
４６  光透過部
【図１】
0005550165.tif 000002
【図２】
0005550165.tif 000003
【図３】
0005550165.tif 000004
【図４】
0005550165.tif 000005
【図５】
0005550165.tif 000006
【図６】
0005550165.tif 000007
【図７】
0005550165.tif 000008
【図８】
0005550165.tif 000009
【図９】
0005550165.tif 000010
【図１０】
0005550165.tif 000011
【図１１】
0005550165.tif 000012
【図１２】
0005550165.tif 000013
【図１３】
0005550165.tif 000014
【図１４】
0005550165.tif 000015
【図１５】
0005550165.tif 000016